(57)【特許請求の範囲】
【請求項１】
レンズユニットと、
可動部を備える位置検出手段と、
前記位置検出手段を固定する第１の鏡筒と、
前記可動部と係合し、前記可動部を光軸方向に移動させるための第１のカム溝部と、前記レンズユニットを前記光軸方向に移動させるための第２のカム溝部を有する第２の鏡筒と、
前記レンズユニットを前記光軸方向に移動させるための前記光軸方向に延びる直線溝部を有する第３の鏡筒と、を有し、
前記位置検出手段は、前記第２の鏡筒が光軸周りに回転することにより、前記可動部が前記光軸方向に移動することで前記第２の鏡筒の回転位置検出を行い、
前記可動部を前記第１のカム溝部の導入部に導くための前記第１のカム溝部とは異なる第１の凹部と、
前記第１のカム溝部とは異なる第１の凹部と係合する前記可動部とは異なる凸部と、をさらに有し、
前記第１の凹部は、前記第２の鏡筒および前記第３の鏡筒のうちの１つの鏡筒と前記第１の鏡筒のうち一方の鏡筒に設けられており、
前記凸部は、前記１つの鏡筒と前記第１の鏡筒のうち他方の鏡筒に設けられていることを特徴とするレンズ鏡筒。
【請求項２】
前記第１の凹部は、前記レンズ鏡筒の光軸方向に延びることを特徴とする請求項１に記載のレンズ鏡筒。
【請求項３】
前記第１の凹部と接続し、前記位置検出手段が前記第２の鏡筒の回転位置検出を行う際に前記可動部が移動する前記第１のカム溝部の使用領域に前記可動部を導く第２の凹部をさらに有することを特徴とする請求項１または２に記載のレンズ鏡筒。
【請求項４】
前記第２の凹部は、前記レンズ鏡筒の光軸周りに延びることを特徴とする請求項３に記載のレンズ鏡筒。
【請求項５】
前記第２の凹部と接続し、前記第３の鏡筒の位置決め部を前記第１の鏡筒の位置決め部に係合させるための第３の凹部をさらに有することを特徴とする請求項３または４のいずれか１項に記載のレンズ鏡筒。
【請求項６】
前記第３の凹部は、前記レンズ鏡筒の光軸方向に延びることを特徴とする請求項５に記載のレンズ鏡筒。
【請求項７】
前記第１の鏡筒の位置決め部および前記第３の鏡筒の位置決め部の一方は、凸形状を有し、
前記第１の鏡筒の位置決め部および前記第３の鏡筒の位置決め部の他方は、凹形状を有することを特徴とする請求項５または６のいずれか１項に記載のレンズ鏡筒。
【請求項８】
前記可動部は、前記レンズ鏡筒の光軸方向に移動可能であることを特徴とする請求項１ないし７のいずれか１項に記載のレンズ鏡筒。
【請求項９】
前記位置検出手段はポテンショメータであり、前記可動部は前記ポテンショメータのピン部であることを特徴とする請求項１ないし８のいずれか１項に記載のレンズ鏡筒。
【請求項１０】
前記第１の鏡筒は、固定鏡筒であり、
前記第２の鏡筒は、前記第１のカム溝部と前記第２のカム溝部を有するカム筒であり、
前記第３の鏡筒は、前記カム筒を保持し前記固定鏡筒に固定可能な案内筒であることを特徴とする請求項１ないし９のいずれか１項に記載のレンズ鏡筒。
【請求項１１】
前記第１の凹部は、前記カム筒と前記固定筒のうち一方の鏡筒に設けられており、
前記凸部は、前記カム筒と前記固定筒のうち他方の鏡筒に設けられていることを特徴とする請求項１０に記載のレンズ鏡筒。
【請求項１２】
前記第１の凹部は、前記案内筒と前記固定筒のうち一方の鏡筒に設けられており、
前記凸部は、前記カム筒と前記固定筒のうち他方の鏡筒に設けられていることを特徴とする請求項１０に記載のレンズ鏡筒。
【請求項１３】
前記導入部は、前記カム筒の端部に設けられる切り欠き領域であることを特徴とする請求項１０ないし１２のいずれか１項に記載のレンズ鏡筒。
【請求項１４】
請求項１ないし１３のいずれか１項に記載のレンズ鏡筒と、
前記レンズ鏡筒からの光を受光する撮像素子と、を有することを特徴とする撮像装置。
【発明の詳細な説明】
【技術分野】
【０００１】
本発明は、レンズ鏡筒に関し、特にレンズ鏡筒の組み立てに関するものである。
【背景技術】
【０００２】
従来、回転部材の操作等によってズーム動作を可能とするレンズ鏡筒において、回転部材の回転量を検出する機構としてポテンショメータを用いる方法が知られている。このとき、固定部材に保持したポテンショメータのピン部を、回転部材の操作と連動して回転するカム部材のカム溝部に係合させる構造が一般的であった。
【０００３】
しかし、直進型のポテンショメータのピン部を回転するカム部材のカム溝部と係合させて駆動すると、傾斜面でピン部と係合することになり、ピン部に対して直進方向と垂直方向に分力が加わり、最悪の場合ポテンショメータが破損するという問題があった。
【０００４】
そこで、特許文献１では、ポテンショメータのピン部が外力によって変形、破損する事を防ぐためにポテンショメータのピン部とカム部材のカム溝部の間に中間部材を設ける構造が開示されている。また、組立性の向上のために、カム溝部の使用領域とは異なる位置に、幅広の組み立て領域を設ける構造が開示されている。
【先行技術文献】
【特許文献】
【０００５】
【特許文献１】特開平７−４３５９６号公報
【発明の概要】
【発明が解決しようとする課題】
【０００６】
しかしながら、特許文献１の構造では、ポテンショメータとカム部材の他に別途中間部材を設ける必要があり、部品点数が増加してしまう。また、幅広の組み立て領域を設けただけでは根本的な組立性の改善にはならず、外力によってピン部が変形、破損する可能性の最も高い組立時において、ピン部の変形、破損に対する対策としての効果が薄い。
【０００７】
そこで、本発明の目的は、部品点数を増加させずに、組立性が良好で、かつ組み込み時に加わる外力によってポテンショメータのピン部の破損を抑制可能なレンズ鏡筒を提供することである。
【課題を解決するための手段】
【０００８】
本発明の一側面としてのレンズ鏡筒は、レンズユニットと、可動部を備える位置検出手段と、前記位置検出手段を固定する第１の鏡筒と、前記可動部と係合し、前記可動部を光軸方向に移動させるための第１のカム溝部と、前記レンズユニットを前記光軸方向に移動させるための第２のカム溝部を有する第２の鏡筒と、前記レンズユニットを前記光軸方向に移動させるための前記光軸方向に延びる直線溝部を有する第３の鏡筒と、を有し、前記位置検出手段は、前記第２の鏡筒が光軸周りに回転することにより、前記可動部が前記光軸方向に移動することで前記第２の鏡筒の回転位置検出を行い、前記可動部を前記第１のカム溝部の導入部に導くための前記第１のカム溝部とは異なる第１の凹部と、前記第１のカム溝部とは異なる第１の凹部と係合する前記可動部とは異なる凸部と、をさらに有し、前記第１の凹部は、前記第２の鏡筒および前記第３の鏡筒のうちの１つの鏡筒と前記第１の鏡筒のうち一方の鏡筒に設けられており、前記凸部は、前記１つの鏡筒と前記第１の鏡筒のうち他方の鏡筒に設けられていることを特徴とする。
【０００９】
本発明の他の目的及び特徴は、以下の実施例において説明される。
【発明の効果】
【００１０】
本発明によれば、部品点数を増加せずに、組立性が良好で、かつ組み込み時に加わる外力によってポテンショメータのピン部の破損を抑制可能なレンズ鏡筒を提供することが出来る。
【図面の簡単な説明】
【００１１】
【図１】本発明の実施例１によるレンズ鏡筒の要部分解斜視図である。
【図２】本発明の実施例による光学機器の断面図である。
【図３】本発明の実施例による光学機器のシステムブロック図である。
【図４】本発明の実施例１によるレンズ鏡筒の要部分解斜視図である。
【図５】本発明の実施例１による組み込みガイド溝の詳細図である。
【図６】本発明の実施例１によるカム環の外観図である。
【図７】本発明の実施例１によるレンズ鏡筒の要部分解斜視図である。
【図８】本発明の実施例２によるレンズ鏡筒の要部分解斜視図である。
【図９】本発明の実施例２によるレンズ鏡筒の要部分解斜視図である。
【図１０】本発明の実施例２による組み込みガイド溝の詳細図である。
【図１１】本発明の実施例２によるカム環の外観図である。
【図１２】本発明の実施例２による案内筒の斜視図である。
【発明を実施するための形態】
【００１２】
以下に、本発明の好ましい実施の形態を、添付の図面に基づいて詳細に説明する。
【実施例１】
【００１３】
以下、図１から図７を参照して、本発明の実施例１による光学機器１００（カメラシステム、撮像装置）について説明する。なお、以下では、光学機器１００として、レンズ交換式一眼レフカメラ（カメラ本体）５００および交換レンズ（レンズ装置）２００から構成されるレンズ交換型の撮像装置を例示的に示すが、本発明はこれに限定されない。例えば、カメラ本体とレンズ装置とが一体的に形成されたレンズ一体型の撮像装置を適用することも可能である。
【００１４】
図２は交換レンズ２００（レンズ装置、光学装置）がカメラ本体５００（撮像装置本体）に接続された光学機器１００の断面図である。ここで１は１群レンズを示し、２は１群レンズ１を保持する１群鏡筒を示し、１７は１群鏡筒を固定する１群筒を示す。３は２群レンズを示し、４は２群レンズ３を保持する２群ユニットを示す。５は３群レンズを示し、６は３群レンズ５を保持する３群鏡筒である。７は光軸に対して垂直な面上で移動することでいわゆる手ブレを補正する防振レンズで、７０１は防振レンズ７を保持する防振レンズ保持枠である。９４は、防振レンズ７および防振レンズ保持枠７０１からなる像振れ補正部材７００を光軸と直交する面内で移動させるための転動ボールである。像振れ補正部材７００は、防振装置８に保持されている。防振装置８は３群鏡筒６に固定されている。９はフォーカスレンズを示し、１０はフォーカスレンズ９を保持するフォーカス鏡筒を示し、４群鏡筒１１に設けられた案内機構、駆動機構によって光軸方向へ移動し、合焦動作を行う。１２は５群レンズを示し、１３は５群レンズ１２を保持する５群鏡筒を示す。３４は光量調節を行う絞りユニットであり、３群鏡筒６に固定される。１４は保持部材であるところの案内筒を示し、１６は案内筒１４の外周に回転可能に嵌合したカム環を示す。案内筒１４は、光軸方向に移動可能なレンズを案内するための光軸方向に延びる直線溝を有する。また、カム環（カム筒）１６は、光軸方向にレンズを駆動するためのカム溝を有する。光軸方向へ移動可能なレンズ（レンズ保持枠）は、直線溝およびカム溝と係合し、カム環１６が光軸周りに回転することで光軸方向に移動することができる。２３は固定鏡筒を示し、案内筒１４を固定する。ここで、固定鏡筒２３（第１の鏡筒）は、後述するように、その内部にポテンショメータ１５（位置検出手段）を保持・固定している。ポテンショメータ１５は、ピン部１５１（可動部）を備え、ピン部１５１が所定方向（光軸方向、直進方向）に移動することにより位置検出を行うように構成されている。また、カム環１６は、後述するように、ピン部１５１と係合するセンサカム溝１６１（溝部）を有する。センサカム溝１６１は、カム環１６の端部（一端）に設けられるセンサカム溝切り欠き部１６１ａ（切り欠き領域）を有し、ピン部１５１はセンサカム溝切り欠き部１６１ａから導入される。案内筒１４は、その外周においてカム環１６を保持し、カム環１６を保持した案内筒１４（第２の鏡筒）は、固定鏡筒２３（第１の鏡筒）に組み込まれる。また、案内筒１４と固定鏡筒２３の一方には、凸形状の位置決め部を有し、他方には凹形状の位置決め部を有する。この位置決め部により案内筒１４と固定鏡筒２３を位置決めした後、案内筒１４を固定鏡筒２３に固定することができる。３１はレンズの駆動用ＩＣ、マイコン等が配置されたプリント基板を示し、固定鏡筒２３に固定されている。２７は外観リングユニットであり、３２はマウントである。マウント３２は固定鏡筒２３にビス固定される。外観リングユニット２７は固定鏡筒２３とマウント３２に挟まれ固定される。１９はマニュアルフォーカスリングユニットであり、固定鏡筒２３を軸として回転可能に支持されている。マニュアルフォーカスリングユニット１９を回転させると、その回転を不図示のセンサが検出し、回転量に応じてフォーカスレンズ９の合焦制御を行う。３５はマニュアルズームリングであり、固定鏡筒２３を軸として回転可能に支持されている。マニュアルズームリング３５を回転させると、その回転を不図示のセンサが検出し、回転量に応じてズームレンズを光軸方向に移動させる。３３は接点ブロックであり、プリント基板３１と不図示の配線（フレキシブルプリント基板など）によって接続されて、マウント３２にビス固定される。５００はカメラ本体であり、本実施例の交換レンズ２００はカメラ本体５００にマウント３２でバヨネット固定される。カメラ本体５００に交換レンズ２００がマウント３２で固定されると、各レンズの動作を制御するプリント基板３１は接点ブロック３３を通してカメラ本体５００と通信可能となる。６００はカメラ本体５００に搭載された撮像素子であり、交換レンズ２００を通過した被写体からの光を受光し、その光を電気信号に変換するＣＭＯＳやＣＣＤ等の光-電気変換素子である。
【００１５】
図３は、本実施例の光学機器であるところの交換レンズ２００とカメラ本体５００のカメラシステムの電気的構成を示す。
【００１６】
５０１はマイクロコンピュータにより構成されるカメラＣＰＵである。カメラＣＰＵ５０１は、カメラ本体５００内の各部の動作を制御する。また、カメラＣＰＵ５０１は、レンズ鏡筒２００の装着時に接点５０２，２０２を介して、レンズ鏡筒２００内に設けられたレンズＣＰＵ２０１との通信を行う。カメラＣＰＵ５０１がレンズＣＰＵ２０１に送信する情報（信号）には、フォーカスレンズの駆動量情報、平行振れ情報およびピント振れ情報が含まれる。また、レンズＣＰＵ２０１からカメラＣＰＵ５０１に送信する情報（信号）には、撮像倍率情報が含まれる。なお、電気接点５０２，２０２には、カメラ本体５００からレンズ鏡筒２００に電源を供給するための接点が含まれている。
【００１７】
５０３は撮影者により操作可能な電源スイッチであり、カメラＣＰＵ５０１を起動したりカメラシステム内の各アクチュエータやセンサ等への電源供給を開始したりするためのスイッチである。５０４は撮影者により操作可能なレリーズスイッチであり、第１ストロークスイッチＳＷ１と第２ストロークスイッチＳＷ２とを有する。レリーズスイッチ５０４からの信号は、カメラＣＰＵ５０１に入力される。カメラＣＰＵ５０１は、第１ストロークスイッチＳＷ１からのＯＮ信号の入力に応じて、撮影準備状態に入る。撮影準備状態では、測光部５０５による被写体輝度の測定と、焦点検出部５０６によって焦点検出を行わせる。カメラＣＰＵ５０１は、測光部５０５の測光結果に基づいて絞りユニット３４の絞り値や撮像素子６００の露光量（シャッタ秒時）等を演算する。また、カメラＣＰＵ５０１は、焦点検出部５０６による撮影光学系の焦点状態の検出結果である焦点情報に基づいて、被写体に対する合焦状態を得るためのフォーカスレンズ９およびフォーカス鏡筒１０の駆動量（駆動方向を含む）を決定する。ここで、焦点情報とは、デフォーカス量およびデフォーカス方向を含む情報のことである。上記駆動量の情報（フォーカスレンズ駆動量情報）は、レンズＣＰＵ２０１に送信される。レンズＣＰＵ２０１は、交換レンズ２００の各構成部の動作を制御する。
【００１８】
さらに、カメラＣＰＵ５０１は、所定の撮影モードになると、防振装置８の防振動作の制御を開始する。第２ストロークスイッチＳＷ２からのＯＮ信号が入力されると、カメラＣＰＵ５０１は、レンズＣＰＵ２０１に対して絞り駆動命令を送信し、絞りユニット３４を先に演算した絞り値に設定させる。また、カメラＣＰＵ５０１は、露光部５０７に露光開始命令を送信し、不図示のミラーの退避動作や不図示のシャッタの開放動作を行わせ、撮像素子６００を含む撮像部５０８にて、被写体像の光電変換、すなわち露光動作を行わせる。
【００１９】
撮像部５０８（撮像素子６００）からの撮像信号は、カメラＣＰＵ５０１内の信号処理部にてデジタル変換され、さらに各種補正処理が施されて画像信号として出力される。画像信号（データ）は、画像記録部５０９において、フラッシュメモリ等の半導体メモリ、磁気ディスク、光ディスク等の記録媒体に記録保存される。
【００２０】
２０４はＭＦリング回転検出部であり、マニュアルフォーカスリングユニット１９とその回転検出部とを含む。
【００２１】
２０５はＺＯＯＭリング回転検出部であり、マニュアルズームリング３５とその回転検出を行う不図示のセンサとを含む。
【００２２】
２０６は防振装置駆動部であり、防振動作を行う防振装置８の駆動アクチュエータとその駆動回路とを含む。
【００２３】
２０９はＡＦ駆動部であり、カメラＣＰＵ５０１から送信されたフォーカスレンズ駆動量情報に応じてＡＦモータを通じてフォーカス鏡筒１０のＡＦ駆動を行う。
【００２４】
２０８は電磁絞り駆動部であり、カメラＣＰＵ５０１からの絞り駆動命令を受けたレンズＣＰＵ２０１により制御されて、絞りユニット３４を指定された絞り値に相当する開口状態に動作させる。
【００２５】
２１１は交換レンズ２００に搭載され、プリント基板３１に接続された角速度センサである。角速度センサ２１１は、カメラシステムの角度振れである縦（ピッチ方向）振れと横（ヨー方向）振れのそれぞれの角速度を示す角速度信号をレンズＣＰＵ２０１に出力する。レンズＣＰＵ２０１は、角速度センサ２１１からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。そしてレンズＣＰＵ２０１は、上述した角度振れ量と平行振れ量の合成変位量に基づいて防振装置駆動部２０６を制御して防振装置８の像振れ補正部材７００をシフト駆動させ、角度振れ補正および平行振れ補正を行う。
【００２６】
また、レンズＣＰＵ２０１は、ピント振れ量に基づいてＡＦ駆動部２０９を制御してフォーカス鏡筒１０を光軸方向に駆動させ、ピント振れ補正を行う。
【００２７】
ここで、前述のセンサおよび検出部からレンズＣＰＵ２０１へのズーム、フォーカス、防振動作などの位置検出信号や、レンズＣＰＵ２０１から各アクチュエータへの制御信号の通電はフレキシブルプリント配線板であるところのフレキシブルプリント基板で行う。
【００２８】
次に、図１および図４〜図７を用いて、ガイド機構による組み込み構造について説明する。図１、図４は本発明の実施例１によるレンズ鏡筒の要部分解斜視図である。
【００２９】
カム環１６は案内筒１４に対して回転可能に保持され、案内筒１４と共に固定鏡筒２３に対して組みこまれる。この時、固定鏡筒２３に保持されているポテンショメータ１５のピン部１５１が、カム環１６に設けられたセンサカム溝１６１に対して、センサカム溝切り欠き部１６１ａから挿入される。ピン部１５１は、センサカム溝使用領域１６１ｂにおいて、ポテンショメータ１５が固定鏡筒２３に対するカム環１６の回転量を検出するように係合する。
【００３０】
従来のような構成では、ピン部１５１とセンサカム溝１６１に対して先当たりするような部位が固定鏡筒２３と案内筒１４の間に設けられていないため、この組み込み作業の際にピン部１５１のみに組み付けの力が加わることがあった。その結果、ピン部１５１の変形、または破損を招く事があった。また、この組み込み作業の後には案内筒１４の位置決めピン１４２を固定鏡筒２３の位置決め穴２３２に挿入させる作業を行う必要があり、組み込み作業がやや複雑である上、作業中は常にピン部１５１に組み付けの力が集中してしまう。そのため、ピン部１５１の変形及び破損の危険性が高かった。
【００３１】
本発明では、カム環１６を保持した案内筒１４（第２の鏡筒）と固定鏡筒２３（第１の鏡筒）の間に組み込み機構（ガイド機構）を設ける事により、この組み付けの力をガイド機構の位置でも受ける構成とし、ピン部１５１へ過剰な力が加わる事を防いでいる。このように、本発明において組み込み機構は、カム筒１６を保持した案内筒１４（第２の鏡筒）を固定鏡筒２３（第１の鏡筒）に組み込む際に使用される。
【００３２】
組み込み機構は、固定鏡筒２３に設けられた組み込みガイド溝２３１と、固定鏡筒２３に固定可能な案内筒１４に設けられた組み込みガイドフォロワ１４１と、によって構成されている。組み込みガイド溝２３１は、ポテンショメータ１５のピン部１５１をカム環１６のセンサカム溝切り欠き部１６１ａに挿入するための第１の領域２３１ａを有する。換言すれば、ポテンショメータ１５のピン部１５１をセンサカム溝切り欠き部１６１ａ（導入部）に導くための第１の凹部２３１ａ１を有する。図５に示されるように、第１の凹部２３１ａ１は、レンズ鏡筒の光軸方向に延びるように形成されている。また、ポテンショメータ１５のピン部１５１をカム環１６のセンサカム溝使用領域１６１ｂに移動させるための第２の領域２３１ｂを有する。換言すれば、第１の凹部２３１ａ１と接続し、ポテンショメータ１５が位置検出を行う際にピン部１５１が移動するセンサカム溝１６１の使用領域１６１ｂにピン部１５１を導く第２の凹部２３１ｂ１を有する。図５に示されるように、第２の凹部２３１ｂ１は、レンズ鏡筒の光軸周りに延びるように形成されている。また、案内筒１４の位置決めピン１４２を固定鏡筒２３の位置決め穴２３２に係合させるための第３の領域２３１ｃを有する。換言すれば、第２の凹部２３１ｂ１と接続し、案内筒１４の位置決めピン１４２（位置決め部）を固定鏡筒２３の位置決め穴２３２（位置決め部）に係合させるための第３の凹部２３１ｃ１を有する。図５に示されるように、第３の凹部２３１ｃ１は、レンズ鏡筒の光軸方向に延びるように形成されている。このような構成を用いれば、組み込み作業はガイド機構にしたがって行えばよいので簡易になる。
【００３３】
以上より、固定鏡筒と筒部材に組み込み機構を設ける事により、部品点数を増加することなく、組立性を向上させるとともに、組み込み時に加わる外力によってポテンショメータのピン部が変形、破損する事を防ぐ事ができる。これにより、部品点数を増加せずに、組立性が良好で、かつ組み込み時に加わる外力によってポテンショメータのピン部の破損を抑制可能なレンズ鏡筒を提供することが出来る。
【実施例２】
【００３４】
図８から図１２を用いて本発明の実施例２によるレンズ鏡筒について説明する。実施例１と同様に、固定鏡筒２３にポテンショメータ１５が固定されており、そのピン部１５１がカム環１６に設けられたセンサカム溝１６１に係合する構造である。また、固定鏡筒２３に対する案内筒１４の位置決めは、固定鏡筒２３に設けられた位置決め凸部２３３と案内筒１４に設けられた位置決め凹部１４３の係合によって行われる。
【００３５】
組み込み機構は、固定鏡筒２３に設けられた組み込みガイド溝２３１とカム環１６に固定された組み込みガイドフォロワ部材１４４によって構成される。組み込みガイドフォロワ部材１４４はカム環１６に不図示のコロ部材を固定するための部材との兼用であり、部品点数の増加にはならない。
【００３６】
組み込みガイド溝２３１は、ポテンショメータ１５のピン部１５１をカム環１６のセンサカム溝切り欠き部１６１ａに挿入するための第１の領域２３１ａを有する。換言すれば、ポテンショメータ１５のピン部１５１をセンサカム溝切り欠き部１６１ａ（導入部）に導くための第１の凹部２３１ａ１を有する。図１０に示されるように、第１の凹部２３１ａ１は、レンズ鏡筒の光軸方向に延びるように形成されている。また、ポテンショメータ１５のピン部１５１をカム環１６のセンサカム溝使用領域１６１ｂに移動させるための第２の領域２３１ｂを有する。換言すれば、第１の凹部２３１ａ１と接続し、ポテンショメータ１５が位置検出を行う際にピン部１５１が移動するセンサカム溝１６１の使用領域１６１ｂにピン部１５１を導く第２の凹部２３１ｂ１を有する。図１０に示されるように、第２の凹部２３１ｂ１は、レンズ鏡筒の光軸周りに延びるように形成されている。また、固定鏡筒２３の位置決め凸部２３３を案内筒１４の位置決め凹部１４３に係合させるための第３の領域２３１ｃを有する。換言すれば、第２の凹部２３１ｂ１と接続し、固定鏡筒２３の位置決め凸部２３３（位置決め部）を案内筒１４の位置決め凹部１４３（位置決め部）に係合させるための第３の凹部２３１ｃ１を有する。図１０に示されるように、第３の凹部２３１ｃ１は、レンズ鏡筒の光軸方向に延びるように形成されている。
【００３７】
センサカム溝１６１は、実施例１同様に、ポテンショメータ１５のピン部１５１を挿入するためのセンサカム溝切り欠き部１６１ａと、センサカム溝使用領域１６１ｂを持つ。
【００３８】
以上より、固定鏡筒と筒部材に組み込み機構を設ける事により、部品点数を増加することなく、組立性を向上させるとともに、組み込み時に加わる外力によってポテンショメータのピン部が変形、破損する事を防ぐ事ができる。これにより、部品点数を増加せずに、組立性が良好で、かつ組み込み時に加わる外力によってポテンショメータのピン部の破損を抑制可能なレンズ鏡筒を提供することが出来る。
【００３９】
以上、本発明の好ましい実施形態について説明したが、本発明はこれらの実施形態に限定されず、その要旨の範囲内で種々の変形及び変更が可能である。また設計機能を考慮した材質であれば、それを限定するものではない。
【００４０】
上記実施例１及び２では、固定鏡筒２３に組み込みガイド溝２３１（凹部）を、案内筒１４またはカム環１６に組み込みガイドフォロワ１４１，１４４（凸部）を設ける構成について説明したが、本発明はこれに限定されない。例えば、固定鏡筒２３（第１の鏡筒）に組み込みガイドフォロワ（凸部）を設け、案内筒１４（第２の鏡筒）またはカム環１６（第２の鏡筒）に組み込みガイド溝（凹部）を設けるように構成してもよい。換言すれば、本発明の組み込み機構は、第１の鏡筒および第２の鏡筒の一方に凹部を設け、第１の鏡筒および第２の鏡筒の他方に該凹部と係合する凸部を設けるようにしてもよい。
【産業上の利用可能性】
【００４１】
本発明は、コンパクトデジタルカメラ、一眼レフカメラ、ビデオカメラなどの撮像装置に好適に利用できる。
【符号の説明】
【００４２】
１４：案内筒
１４１：組み込みガイドフォロワ
１５：ポテンショメータ
１５１：ピン部
１６：カム環
１６１：センサカム溝
１６１ａ：センサカム溝切り欠き部
２３：固定鏡筒
２３１：組み込みガイド溝
【図１】
0006429506.tif 000002
【図２】
0006429506.tif 000003
【図３】
0006429506.tif 000004
【図４】
0006429506.tif 000005
【図５】
0006429506.tif 000006
【図６】
0006429506.tif 000007
【図７】
0006429506.tif 000008
【図８】
0006429506.tif 000009
【図９】
0006429506.tif 000010
【図１０】
0006429506.tif 000011
【図１１】
0006429506.tif 000012
【図１２】
0006429506.tif 000013